(57)【要約】流体流システム内で使用するための騒音低減デバイス１０は、中央セクション１２および外側環状セクション１４を備える。外側環状セクション１４は、中央の中心流体流に対する環状流体流の速度を低下させるように設計されている。デバイスの中央セクション１２は複数の開口部１４を有するが、環状セクションは、圧力低下チャンバ２０と連絡している上流側開口部１８と、下流側開口部２２とを有する。環状セクション１４の上流側開口部１８は、圧力低下を増加させ、環状セクション１４内の流体流の速度をさらに低下させるために、環状セクション１４の下流側開口部２２よりも小さく、それから偏移している。配管システムを通る流体流が、環状流体流および中心流体流に分離され、環状流体流の速度が中心流体流の速度に対して低下させられる、配管システムからの騒音伝達を低減させるための方法も記載されている。
2005521014.tif 000002
【特許請求の範囲】
【請求項１】
内側中央セクションと、
包囲外側セクションを備え、外側セクションが、前記内側セクションに対する流体流の速度を低下させる、
配管システムから伝達される騒音を低減させるためのデバイス。
【請求項２】
前記内側セクションが、それを通る複数の開口部を備える円形のディスクである、請求項１に記載のデバイス。
【請求項３】
前記開口部が、等しく離隔されている、請求項２に記載のデバイス。
【請求項４】
前記外側セクションが、
デバイスの上流側の複数の上流側開口部と、
前記上流側開口部と連絡している圧力降下チャンバと、
前記圧力降下チャンバと連絡しているデバイスの下流側の複数の下流側開口部とを備える、
請求項１に記載のデバイス。
【請求項５】
前記上流側開口部が、全体断面積を有し、
前記下流側開口部が、全体断面積を有し、
上流側開口部の全体断面積が、下流側開口部の全体断面積よりも小さい、
請求項４に記載のデバイス。
【請求項６】
前記上流側開口部が軸を有し、
前記下流側開口部が軸を有し、
前記上流側開口部の軸が、前記下流側開口部の軸と位置合わせされていない、請求項４に記載のデバイス。
【請求項７】
前記上流側開口部が全体断面積および軸を有し、
前記下流側開口部が全体断面積および軸を有し、
上流側開口部の全体断面積が、下流側開口部の全体断面積よりも小さく、
前記上流側開口部の軸が、前記下流側開口部の軸と位置合わせされていない、請求項４に記載のデバイス。
【請求項８】
複数の開口部を備える内側円形セクションと、
複数の上流側開口部、圧力低下チャンバおよび複数の下流側開口部を備える環状の外側セクションとを備える、流体流システム用の騒音低減デバイス。
【請求項９】
前記チャンバが、前記環状の外側セクションの外側周縁表面内の溝によって形成されている、請求項８に記載のデバイス。
【請求項１０】
前記上流側開口部が、前記下流側開口部よりも小さい、請求項８に記載のデバイス。
【請求項１１】
前記上流側開口部は、前記下流側開口部から偏移している、請求項８に記載のデバイス。
【請求項１２】
前記上流側開口部が、前記下流側開口部よりも小さく、
前記上流側開口部は、前記下流側開口部から偏移している、請求項８に記載のデバイス。
【請求項１３】
少なくとも１つの弁の下流の流体流を内側の中心流体流およびそれを包囲する外側の環状流体流に分離するステップと、前記内側中心流に対する前記外側の環状流体流の速度を低下させるステップとを含む、
少なくとも１つの弁を有する流体流システムから伝達される騒音を低減させるための方法。
【請求項１４】
中心流内の騒音の周波数を増加させるステップをさらに備える、請求項１３に記載の方法。
【請求項１５】
騒音の周波数が、中心流体流の流体に複数の開口部を通過させることによって増加させられる、請求項１４に記載の方法。
【請求項１６】
速度の低下が、前記外側環状流内の段階的にされた圧力低下によって達成される、請求項１４に記載の方法。
【請求項１７】
前記分離および前記低下が、前記流体流に内側の中心セクションおよび外側環状セクションを有するディスクを通過させることによって達成される、請求項１３に記載の方法。
【請求項１８】
前記低下が、前記外側環状流内での段階的にされた圧力低下によって達成される、請求項１７に記載の方法。
【請求項１９】
上流側取入口および下流側排出口を備える弁と、
ある速度を有する、前記上流側取入口から前記下流側排出口を通る流体流と、
下流側排出口内に配置された騒音低減デバイスとを備え、
前記騒音低減デバイスが内側セクションおよび環状の外側セクションを有し、外側セクションがより低速の環状流体流を形成するために流体流の速度を低減させる、流体流システム。
【請求項２０】
前記内側セクションが、複数の開口部を有する、請求項１９に記載のデバイス。
【請求項２１】
前記開口部が、等しく離隔されている、請求項２０に記載のデバイス。
【請求項２２】
前記外側セクションが、
デバイスの上流側の複数の上流側開口部と、
上流側開口部と連絡している圧力降下チャンバと、
前記圧力降下チャンバと連絡しているデバイスの下流側の複数の下流側開口部とを備える、請求項１９に記載のデバイス。
【請求項２３】
前記上流側開口部が、全体断面積を有し、
前記下流側開口部が、全体断面積を有し、
上流側開口部の全体断面積が、下流側開口部の全体断面積よりも小さい、請求項２２に記載のデバイス。
【請求項２４】
前記上流側開口部が軸を有し、
前記下流側開口部が軸を有し、
上流側開口部の軸が、下流側開口部の軸と位置合わせされていない、請求項２２に記載のデバイス。
【請求項２５】
前記上流側開口部が全体断面積および軸を有し、
前記下流側開口部が全体断面積および軸を有し、
上流側開口部の全体断面積が、下流側開口部の全体断面積よりも小さく、
前記上流側開口部の軸が、前記下流側開口部の軸と位置合わせされていない、請求項２４に記載のデバイス。
【発明の詳細な説明】
【技術分野】
【０００１】
本発明は、流体流システム内の騒音低減デバイス（ｎｏｉｓｅ  ｒｅｄｕｃｔｉｏｎ  ｄｅｖｉｃｅ）、より具体的には流体流システム内の弁を下流で使用するための差動速度デバイスに関する。
【背景技術】
【０００２】
本特許出願は、「Ｎｏｉｓｅ  Ｒｅｄｕｃｔｉｏｎ  Ｄｅｖｉｃｅ  ｆｏｒ  Ｆｌｕｉｄ  Ｆｌｏｗ  Ｓｙｓｔｅｍｓ」という題名の、２００２年３月２２日に提出された米国特許出願第１０／１０４，４４７による優先権を請求する。
【０００３】
制御弁は、液体および圧縮性流体（ｃｏｍｐｒｅｓｓｉｂｌｅ  ｆｌｕｉｄ）の両方である、流体の流れを制御するためにプロセス産業（ｐｒｏｃｅｓｓ  ｉｎｄｕｓｔｒｙ）で使用されている。空気力学的に発生させられる騒音は、気体および蒸気の絞りプロセスに特有のものである。絞りは、流体流システム内の選択された弁を開放または閉鎖することによって生じる。
【０００４】
高いレベルの騒音への曝露が、流体流システムの近くで作業している人の聴覚に損傷を与える可能性があることが、一般に認められている。合衆国では、職業安全衛生管理局（ＯＳＨＡ）［Ｏｃｃｕｐａｔｉｏｎａｌ  Ｓａｆｅｔｙ  ａｎｄ  Ｈｅａｌｔｈ  Ａｄｍｉｎｉｓｔｒａｔｉｏｎ］が、聴覚の保護の目的で作業者の曝露騒音レベルを制限している。たとえば、現在、騒音レベルは、８時間の曝露に対してＡ特性重み付けスケール（Ａ  ｗｅｉｇｈｔｅｄ  ｓｃａｌｅ）での９０デシベル（ｄＢＡ）に制限されている。８５ｄＢＡへの曝露に制限している他の国もある。
【０００５】
騒音発生が絞りプロセスに特有のものであるため、多くの制御弁はいくつかの騒音低減方法を必要とする。しばしば、グローバルタイプの弁は、多数の小さな穿孔を備えるケージを使用して低騒音で提供されている。
【発明の開示】
【発明が解決しようとする課題】
【０００６】
よりコスト効果のある解決法が、作業条件を緩和するために望まれている。特に、適度なコストで得ることができるいくつかの形態の騒音低減が、ロータリー制御弁に対して望まれている。
【課題を解決するための手段】
【０００７】
中央セクションおよび外側環状セクションを備える騒音低減デバイスが、提供される。外側セクションは、デバイスを通る流体流の速度を低下させ、システムの中心流体流と比較したとき低下した速度を有する環状流体流を作成するように設計されている。環状流の速度を低下させるための好ましい方法は、流体流が、上流側開口部を通って圧力低下チャンバ内へ、次に上流側開口部よりも大きい断面積の偏移した下流側開口部を通る、段階的にされた圧力低下である。システムの中心流は、中心流内の騒音の周波数を増加させるために、騒音低減デバイスの中央セクション内の複数の開口部を通過する。デバイスは、中心流と比較して低下した速度を有する中心流を包囲する環状流による流れの体制を作成する。
【０００８】
本発明は、広範囲の動作条件にわたって１５〜２０デシベルの騒音低減を提供するように意図されている。一体型デバイスは、オーステナイト系のステンレス鋼などの鍛錬用材料（ｗｒｏｕｇｈｔ  ｍａｔｅｒｉａｌ）から容易に機械加工される。穿孔にもかかわらず、肉厚のセクションは、流れに誘発される振動による故障を防止するために、極度に高い特有周波数を与える。
【発明を実施するための最良の形態】
【０００９】
類似の符号が図面全体を通じて類似のまたは同様の部品を表している図面を、ここで参照する。
【００１０】
図１、２および３をここで参照すると、騒音低減デバイス１０は、中央セクション（ｃｅｎｔｒａｌ  ｓｅｃｔｉｏｎ）１２および外側環状セクション１４を有する円形のディスクを備える。中央セクション１２は、ディスクを通って延びる複数の中央開口部１６を含んでいる。外側環状セクション１４は、下流側開口部２２と連絡している圧力低下チャンバ２０（ｐｒｅｓｓｕｒｅ  ｒｅｄｕｃｔｉｏｎ  ｃｈａｍｂｅｒ）と連絡している上流側開口部１８を有する。騒音低減デバイス１０は、その全外周の周囲に溝２６が切り込まれた外側周縁表面２４を有する。溝２６は、図７に示すように、デバイスが流体流システム内に配置されたとき、圧力低下チャンバ２０を形成する。図１に示す実施形態での中央セクション１２は、上流側くぼみ２８および下流側くぼみ３０をさらに備える。外側環状セクション１４は、下流側フィン３２および環状のくぼみ３４を有してもよい。環状のくぼみ３４は、下流側開口部２２と連絡しており、下流側フィン３２によって下流側くぼみ３０から分離されている。下流側フィン３２と連結しているくぼみ２８、３０および３２は、中央セクション１２を通る中心流体流と環状セクション１４を通る環状流体流の間の分離を強化する。
【００１１】
各上流側開口部１８は、流れ方向とほぼ平行に延びる軸３６を有する。各下流側開口部２２は、流れ方向とほぼ平行に延びる軸３８を有する。図１、２および３に示す好ましい実施形態では、上流側の軸３６は５度だけ下流側の軸３８から偏移している。上流側の軸と下流側軸の間の偏移は、チャンバ２０内の圧力低下を強化し、図のそれぞれに示されている。図３では、開口部２２が示されているが、開口部１８は影になっており、５度の回転角だけ開口部２２から偏移している。図２では、開口部１８が示されているが、開口部２２は影になっており、５度の回転角だけ開口部１８から偏移している。図１は、主切断図の一部として開口部２２を示しているが、開口部１８は、部分切断図の一部として示されており、開口部１８が開口部２２と同一平面内にはないことを示している。部分切断図は、最初に開口部１８を通ってチャンバ２０内に入り、次にチャンバ２０から出て開口部２２を通過する環状セクション１４内での流体の通過を示すために使用されている。図４、５および６は、同じ偏移を示すために同様の方式で描かれている。
【００１２】
ここで図４、５および６を参照すると、本発明の第２の実施形態が示されている。騒音低減デバイス４０は、騒音低減デバイス１０と同様である。騒音低減デバイス４０は、中央セクション４２および外側環状セクション４４を備える。中央セクション４２は、中央開口部４６を有する。外側環状セクション４４は、下流側開口部５２と連絡している圧力低下チャンバ５０と連絡している上流側開口部４８を有する。騒音低減デバイス４０は、騒音低減チャンバ５０を形成するためにその全外周の周囲に溝５６が切り込まれた外側周縁表面５４を有する。
【００１３】
騒音低減デバイス４０は、騒音低減デバイス１０で示したように、上流側くぼみ、下流側くぼみ、下流側フィン、または環状のくぼみを有さない。騒音低減デバイス４０は、分離および速度低下を外側セクション４４と中央セクション４２の間に生じる圧力差に頼っている。上流側開口部４８は、上流側軸６６を有し、下流側開口部５２は、下流側軸６８を有する。上流側軸６６は、図５および６に示すように５度だけ下流側軸６８から偏移している。
【００１４】
騒音低減デバイス１０および４０は、本発明の２つの実施形態を示している。他の実施形態は、それぞれの選択された特徴を備えてもよい。たとえば、第３の実施形態は、デバイス１０と同様であるが、環状のくぼみ３４および下流側フィン３２がなくてもよい。このような第３の実施形態は、デバイス４０と同様であるとして説明されてもよいが、デバイス１０からの上流のくぼみ２８および下流のくぼみ３０を追加して記載されてもよい。当業者ならわかるように、他の多くの実施形態も本発明の範囲内にある。
【００１５】
図７を参照すると、弁システム７０が、上流側取入口７２および円筒形の下流側排出口７４を備えて示されている。本発明の騒音低減デバイス１０は、下流側排出口７４内に挿入されるとして示されている。下流側排出口７４が排出口ねじ７６と螺合され、騒音低減デバイス１０が、外部表面２４上に対合ねじ山７８を有してもよい。ねじ山７８は、下流側排出口７４内の騒音低減デバイス１０を抑制するために排出口ねじ山７６と係合する。排出口内で騒音低減デバイス１０を固定する他の方法が使用されてもよいことが、当業者ならわかるであろう。
【００１６】
騒音低減デバイス１０および騒音低減デバイス４０は両方、流体流システム内の流れを内側の中心流体流と外側の環状流体流を分離するように設計されている。デバイス１０および４０およびデバイスの他の実施形態は、外側の環状流体流内の圧力を段階的な方式で低下させ、それによって内側中心流に対する外側環状流の速度を低下させる。
【００１７】
騒音低減デバイス１０または４０は、３つの特定可能なメカニズムによって配管システムの外部を取り囲む空気に伝達される騒音の低減を達成する。第１のメカニズムは、流体内での騒音発生を低下させられる。環状流と中心流の間の速度差が、単一の流れ場を作成するデバイスと比較して空気力学的に発生させられる騒音を低減させる。亜音速流（ｓｕｂｓｏｎｉｃ  ｆｌｏｗ）では、騒音低減は、騒音を生じさせる乱流の強度の低下による。音速流状態では、騒音低減は、乱流の衝撃セル（ｓｈｏｃｋ  ｃｅｌｌ）との相互作用の低減による。これらの流体メカニズムを通じて、流体の発生騒音が低減される。
【００１８】
第２のメカニズムは、高周波騒音の発生を通じてである。開口部１６などの小さな開口部を通る流体は、高周波の騒音を生成する。管壁の伝達損失は、駆動周波数に依存する。特定の管のサイズおよび壁圧に対する、所与の流体での最小の伝達損失は、最低の一致周波数である。伝達損失の最低領域は、最低の一致周波数とリング周波数（ｒｉｎｇ  ｆｒｅｑｕｅｎｃｙ）の間になる。中央開口部１６または４６などの、小さな開口部を通る流れは、下流の配管の一致およびリング周波数以上にあるように意図された高周波騒音を生成する。結果として増加する伝達損失は、配管システムの外部を包囲する空気中で知覚される騒音の低減に対して極めて有用である。
【００１９】
第３のメカニズムは、管壁に隣接する下流の速度の影響である。通常、配管の外部で知覚される騒音は、同じ内部騒音レベルを有するときでさえも、下流速度の増加とともに増加する。下流の管壁に沿った環状流の速度は、騒音低減デバイス１０または４０内での圧力の段階化（ｐｒｅｓｓｕｒｅ  ｓｔａｇｉｎｇ）によって低下させられる。下流の管壁に沿ったより低い速度は、下流の速度の影響を低減させ、それによって知覚される騒音レベルを低下させる。
【００２０】
本発明を、少なくとも２つの実施形態で説明し、図示してきたが、頭記の特許請求の範囲内に維持しながら、これらの実施形態に対して修正を行うことができる。好ましい実施形態のすべての開口部は円形であり、これは、穿孔手法である、好ましい実施形態の最も容易な公知の製造方法を反映していることを当業者ならわかるであろう。デバイスは、矩形の開口部、正方形の開口部、楕円形の開口部、六角形の開口部などの他の形状の開口部でも等しく動作するであろう。デバイスの中央セクションの開口部が、開口部の間に等しい間隔を作成するために六角形状に配置されていることにも留意されたい。この六角形状の間隔は、開口部の間に等しい間隔を達成するための好ましい方法であるが、他の間隔でも動作するであろう。本発明の範囲内でのさらなる修正は、上流の開口部と下流の開口部の間の偏移をさらに調整することであろう。ここに図示および説明した方法、装置およびシステムは、好ましい実施形態であるとして特徴付けられているが、頭記の特許請求の範囲で定義したような本発明の範囲から逸脱することなく、様々な変更および修正を行うことができることは明らかであろう。
【図面の簡単な説明】
【００２１】
【図１】本発明の好ましい実施形態の側部断面図である。
【図２】上流側からの図１のデバイスの前面図である。
【図３】下流側からの図１のデバイスの背面図である。
【図４】本発明の第２の実施形態の側部断面図である。
【図５】上流側からの図４の実施形態の前面図である。
【図６】下流側からの図４の実施形態の背面図である。
【図７】本発明による弁システムの実施形態の上部断面図である。
【図１】
2005521014.tif 000003
【図２】
2005521014.tif 000004
【図３】
2005521014.tif 000005
【図４】
2005521014.tif 000006
【図５】
2005521014.tif 000007
【図６】
2005521014.tif 000008
【図７】
2005521014.tif 000009
【手続補正書】
【提出日】平成16年1月26日(2004.1.26)
【手続補正１】
【補正対象書類名】特許請求の範囲
【補正対象項目名】全文
【補正方法】変更
【補正の内容】
【特許請求の範囲】
【請求項１】
内側セクションの上流側に複数の開口部を備える内側中央セクションと、
外側セクションの上流側に複数の開口部を備える包囲外側セクションとを備え、外側セクションの上流側開口部の全体断面積が、内側側セクションの上流側開口部の全体断面積よりも小さく、外側セクションが、前記内側セクションに対する流体流の速度を低下させる、
配管システムから伝達される騒音を低減させるためのデバイス。
【請求項２】
前記内側セクションが、それを通る複数の開口部を備える円形のディスクである、請求項１に記載のデバイス。
【請求項３】
前記開口部が、等しく離隔されている、請求項２に記載のデバイス。
【請求項４】
前記外側セクションが、
外側セクションの上流側開口部と連絡している圧力降下チャンバと、
外側セクションの下流側の複数の開口部とを備え、下流側開口部が、前記圧力降下チャンバと連絡している、
請求項１に記載のデバイス。
【請求項５】
前記上流側開口部が、全体断面積を有し、
前記下流側開口部が、全体断面積を有し、
上流側開口部の全体断面積が、下流側開口部の全体断面積よりも小さい、
請求項４に記載のデバイス。
【請求項６】
前記上流側開口部が軸を有し、
前記下流側開口部が軸を有し、
前記上流側開口部の軸が、前記下流側開口部の軸と位置合わせされていない、請求項４に記載のデバイス。
【請求項７】
前記上流側開口部が全体断面積および軸を有し、
前記下流側開口部が全体断面積および軸を有し、
上流側開口部の全体断面積が、下流側開口部の全体断面積よりも小さく、
前記上流側開口部の軸が、前記下流側開口部の軸と位置合わせされていない、請求項４に記載のデバイス。
【請求項８】
上流側の複数の開口部および下流側の複数の開口部を備える内側セクションと、
上流側の複数の開口部および下流側の複数の開口部を備える外側セクションとを備え、外側セクションの下流側開口部の全体断面積が、内側セクションの下流側開口部の全体断面積よりも小さい、流体流システム用の騒音低減デバイス。
【請求項９】
外側セクションが、上流側開口部と下流側開口部の間に圧力低下チャンバを備え、前記チャンバが、前記外側セクションの外側周縁表面内の溝によって形成されている、請求項８に記載のデバイス。
【請求項１０】
外側セクションの前記上流側開口部が、外側セクションの前記下流側開口部よりも小さい、請求項８に記載のデバイス。
【請求項１１】
外側セクションの前記上流側開口部は、外側セクションの前記下流側開口部から偏移している、請求項８に記載のデバイス。
【請求項１２】
外側セクションの前記上流側開口部が、外側セクションの前記下流側開口部よりも小さく、
外側セクションの前記上流側開口部が、外側セクションの前記下流側開口部から偏移している、請求項８に記載のデバイス。
【請求項１３】
少なくとも１つの弁の下流の流体流を、流体流の一部を、デバイスの中央部分を通る複数の第１の開口部を有するデバイスを通過させることによって同軸である内側の中心流体流および包囲外側の環状流体流に分離するステップと、
流体流の一部に、環状に配置された複数の第２の開口部を有するデバイスを通過させることによって、前記内側の中心流に対する前記外側の環状流体流の速度を低下させるステップとを含み、内側の中心流が外側の環状流体流よりも大きい全体断面積を有する、
少なくとも１つの弁を有する流体流システムから伝達される騒音を低減させるための方法。
【請求項１４】
中心流内の騒音の周波数を増加させるステップをさらに備える、請求項１３に記載の方法。
【請求項１５】
騒音の周波数が、中心流体流の流体に複数の開口部を通過させることによって増加させられる、請求項１４に記載の方法。
【請求項１６】
速度の低下が、前記外側環状流内の段階的にされた圧力低下によって達成される、請求項１４に記載の方法。
【請求項１７】
前記分離および前記低下が、前記流体流に内側の中心セクションおよび外側環状セクションを有するディスクを通過させることによって達成される、請求項１３に記載の方法。
【請求項１８】
前記低下が、前記外側環状流内での段階的にされた圧力低下によって達成される、請求項１７に記載の方法。
【請求項１９】
上流側取入口および下流側排出口を備える弁と、
ある速度を有する、前記上流側取入口から前記下流側排出口を通る流体流と、
下流側排出口内に配置された騒音低減デバイスとを備え、
前記騒音低減デバイスが、内側セクションおよび環状の外側セクションを有し、外側セクションが、同軸の包囲するより低速の環状流体流を形成するために流体流の速度を低下させ、内側セクションの全体流断面積よりも小さい全体流断面積を有する、流体流システム。
【請求項２０】
前記内側セクションが、複数の開口部を有する、請求項１９に記載のデバイス。
【請求項２１】
前記開口部が、等しく離隔されている、請求項２０に記載のデバイス。
【請求項２２】
前記外側セクションが、
デバイスの上流側の複数の開口部と、
前記上流側開口部と連絡している圧力降下チャンバと、
前記圧力降下チャンバと連絡しているデバイスの下流側の複数の開口部とを備える、請求項１９に記載のデバイス。
【請求項２３】
前記上流側開口部が、全体断面積を有し、
前記下流側開口部が、全体断面積を有し、
上流側開口部の全体断面積が、下流側開口部の全体断面積よりも小さい、請求項２２に記載のデバイス。
【請求項２４】
前記上流側開口部が軸を有し、
前記下流側開口部が軸を有し、
上流側開口部の軸が、下流側開口部の軸と位置合わせされていない、請求項２２に記載のデバイス。
【請求項２５】
前記上流側開口部が全体断面積および軸を有し、
前記下流側開口部が全体断面積および軸を有し、
上流側開口部の全体断面積が、下流側開口部の全体断面積よりも小さく、
前記上流側開口部の軸が、前記下流側開口部の軸と位置合わせされていない、請求項２４に記載のデバイス。
【請求項２６】
内側セクションが、内側セクションの下流側に複数の開口部を備え、
外側セクションが、外側セクションの下流側に複数の開口部を備える、請求項１に記載のデバイス。
【請求項２７】
内側セクションの下流側開口部の下流側、および外側セクションの下流側開口部の下流側、および内側セクションと外側セクションの間の下流側にフィンを備え、フィンが、内側セクションからの流体流と外側セクションからの流体流の間の分離を容易にする、請求項２６に記載のデバイス。
【請求項２８】
内側セクションの下流側開口部が、外側セクションの下流側開口部の上流側にある、請求項２６に記載のデバイス。
【請求項２９】
内側セクションの下流側開口部が、外側セクションの下流側開口部の下流側にある、請求項２６に記載のデバイス。
【請求項３０】
内側セクションの下流側開口部の下流側、および外側セクションの下流側開口部の下流側、および内側セクションと外側セクションの間の下流側にフィンを備え、フィンが、内側セクションからの流体流と外側セクションからの流体流の間の分離を容易にする、請求項８に記載のデバイス。
【請求項３１】
内側セクションの下流側開口部が、外側セクションの下流側開口部の上流側にある、請求項８に記載のデバイス。
【請求項３２】
内側セクションの下流側開口部が、外側セクションの下流側開口部の下流側にある、請求項８に記載のデバイス。
【請求項３３】
内側セクションが、内側セクションの下流側に複数の開口部を備え、
外側セクションが、外側セクションの下流側に複数の開口部を備える、請求項１９に記載のデバイス。
【請求項３４】
内側セクションの下流側開口部の下流側、および外側セクションの下流側開口部の下流側、および内側セクションと外側セクションの間の下流側にフィンを備え、フィンが、内側セクションからの流体流と外側セクションからの流体流の間の分離を容易にする、請求項３３に記載のデバイス。
【請求項３５】
内側セクションの下流側開口部が、外側セクションの下流側開口部の上流側にある、請求項３３に記載のデバイス。
【請求項３６】
内側セクションの下流側開口部が、外側セクションの下流側開口部の下流側にある、請求項３３に記載のデバイス。
【国際調査報告】
2005521014.tif 000010
2005521014.tif 000011
2005521014.tif 000012